(57)【要約】  ユーザ端末に設定可能なコンポーネントキャリア数が拡張される場合であっても、上り制御信号の送信を適切に行うこと。６個以上のコンポーネントキャリアを利用して通信可能なユーザ端末であって、ＤＬ信号を受信する受信部と、ＤＬ信号に対する送達確認信号を含むＵＬ制御信号を送信する送信部と、ＵＬ制御信号に適用するフォーマットを制御する制御部と、を有し、制御部は、コンポーネントキャリアの設定数が５個以下となる既存システムのＰＵＣＣＨフォーマットと比較して容量が大きいフォーマットをＵＬ制御信号に適用する。
2016121916.tif 000002
【特許請求の範囲】
【請求項１】
６個以上のコンポーネントキャリアを利用して通信可能なユーザ端末であって、
ＤＬ信号を受信する受信部と、
ＤＬ信号に対する送達確認信号を含むＵＬ制御信号を送信する送信部と、
ＵＬ制御信号に適用するフォーマットを制御する制御部と、を有し、
前記制御部は、コンポーネントキャリアの設定数が５個以下となる既存システムのＰＵＣＣＨフォーマットと比較して容量が大きいフォーマットをＵＬ制御信号に適用することを特徴とするユーザ端末。
【請求項２】
前記制御部は、ＤＬ信号が割当てられるコンポーネントキャリア数に基づいてＵＬ制御信号に適用するフォーマットを変更することを特徴とする請求項１に記載のユーザ端末。
【請求項３】
前記制御部は、ＤＬ信号が割当てられる所定コンポーネントキャリア数が５個以下である場合、既存システムのＰＵＣＣＨフォーマット３をＵＬ制御信号に適用することを特徴とする請求項１又は請求項２に記載のユーザ端末。
【請求項４】
前記制御部は、ＤＬ信号が割当てられる所定コンポーネントキャリア数が２個以下である場合、既存システムのＰＵＣＣＨフォーマット１ｂに基づくチャネルセレクションをＵＬ制御信号に適用することを特徴とする請求項１から請求項３のいずれかに記載のユーザ端末。
【請求項５】
前記制御部は、ＤＬ信号が割当てられるコンポーネントキャリアがプライマリセルだけである場合、既存システムのＰＵＣＣＨフォーマット１ｂをＵＬ制御信号に適用することを特徴とする請求項１から請求項４のいずれかに記載のユーザ端末。
【請求項６】
前記受信部は、ＰＵＣＣＨフォーマット３又はＰＵＣＣＨフォーマット１ｂに基づくチャネルセレクションを適用して送信するＵＬ制御信号の割当てリソースに関する情報、及び／又はＵＬ制御信号を送信するコンポーネントキャリアに関する情報を受信することを特徴とする請求項３又は請求項４に記載のユーザ端末。
【請求項７】
前記制御部は、アクティブ状態のコンポーネントキャリア数に基づいてＵＬ制御信号に適用するフォーマットを変更することを特徴とする請求項１又は請求項２に記載のユーザ端末。
【請求項８】
６個以上のコンポーネントキャリアを利用するユーザ端末と通信可能な無線基地局であって、
ＤＬ信号を送信する送信部と、
ＤＬ信号に対する送達確認信号を含むＵＬ制御信号を受信する受信部と、
ユーザ端末がＵＬ制御信号に適用するフォーマットの設定を制御する制御部と、を有し、
前記制御部は、コンポーネントキャリアの設定数が５個以下となる既存システムのＰＵＣＣＨフォーマットと比較して容量が大きいフォーマットをユーザ端末に設定することを特徴とする無線基地局。
【請求項９】
前記ユーザ端末がアクティブ状態のコンポーネントキャリア数に基づいてＵＬ制御信号に適用するフォーマットを変更する場合、前記受信部は、特定のフォーマットに対するリソースだけを検出することを特徴とする請求項８に記載の無線基地局。
【請求項１０】
６個以上のコンポーネントキャリアを利用して通信可能なユーザ端末の無線通信方法であって、
ＤＬ信号を受信する工程と、
ＤＬ信号に対する送達確認信号を含むＵＬ制御信号を生成する工程と、
ＵＬ制御信号に適用するフォーマットを制御する工程と、を有し、
コンポーネントキャリアの設定数が５個以下となる既存システムのＰＵＣＣＨフォーマットと比較して容量が大きいフォーマットをＵＬ制御信号に適用することを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。そして、ＬＴＥからのさらなる広帯域化及び高速化を目的として、ＬＴＥアドバンストと呼ばれるＬＴＥの後継システム（ＬＴＥ−Ａとも呼ばれる）が検討され、ＬＴＥ  Ｒｅｌ．１０−１２として仕様化されている。【０００３】
ＬＴＥ  Ｒｅｌ．１０−１２のシステム帯域は、ＬＴＥシステムのシステム帯域を一単位とする少なくとも１つのコンポーネントキャリア（ＣＣ：Component  Carrier）を含んでいる。このように、複数のＣＣを集めて広帯域化することをキャリアアグリゲーション（ＣＡ：Carrier  Aggregation）という。【０００４】
また、Ｒｅｌ．８から１２のＬＴＥでは、事業者に免許された周波数帯、すなわちライセンスバンドにおいて排他的な運用がなされることを想定して仕様化が行われた。ライセンスバンドとしては、たとえば８００ＭＨｚ、２ＧＨｚまたは１．７ＧＨｚなどが使用される。【０００５】
Ｒｅｌ．１３以降のＬＴＥでは、免許不要の周波数帯、すなわちアンライセンスバンドにおける運用もターゲットとして検討されている。アンライセンスバンドとしては、たとえばＷｉ−Ｆｉと同じ２．４ＧＨｚまたは５ＧＨｚ帯などが使用される。Ｒｅｌ．１３  ＬＴＥでは、ライセンスバンドとアンライセンスバンドの間でのキャリアアグリゲーション（ＬＡＡ：License-Assisted  Access）を検討対象としているが、将来的にデュアルコネクティビティやアンライセンスバンドのスタンドアローンも検討対象となる可能性がある。
【先行技術文献】
【非特許文献】
【０００６】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００７】
上述したＬＴＥの後継システム（ＬＴＥ  Ｒｅｌ．１０−１２）におけるＣＡでは、ユーザ端末（ＵＥ）当たりに設定可能なＣＣ数が最大５個に制限されている。ＬＴＥのさらなる後継システムであるＬＴＥ  Ｒｅｌ．１３以降においては、より柔軟且つ高速な無線通信を実現するために、ユーザ端末に設定可能なＣＣ数の制限を緩和し、６個以上のＣＣを設定することが検討されている。【０００８】
しかしながら、ユーザ端末に設定可能なＣＣ数が６個以上（例えば、３２個）に拡張される場合、既存システム（Ｒｅｌ．１０−１２）の送信方法をそのまま適用することが困難となる。例えば、既存システムでは、各ＣＣのＤＬ信号に対する送達確認信号（ＨＡＲＱ−ＡＣＫ）等の上り制御信号（ＵＣＩ：Uplink  Control  Information）を上り制御チャネル（ＰＵＣＣＨ：Physical  Uplink  Control  Channel）で送信する。この際、ユーザ端末は、５ＣＣ以下を前提としたＰＵＣＣＨフォーマットを適用して上り制御信号の送信を行う。一方で、ユーザ端末が６ＣＣ以上の上り制御信号を送信する場合、上り制御信号の送信を適切に行うために新しい送信方法が必要となることが想定される。【０００９】
本発明はかかる点に鑑みてなされたものであり、ユーザ端末に設定可能なコンポーネントキャリア数が拡張される場合であっても、上り制御信号の送信を適切に行うことができるユーザ端末、無線基地局及び無線通信方法を提供することを目的の１つとする。
【課題を解決するための手段】
【００１０】
本発明のユーザ端末の一態様は、６個以上のコンポーネントキャリアを利用して通信可能なユーザ端末であって、ＤＬ信号を受信する受信部と、ＤＬ信号に対する送達確認信号を含むＵＬ制御信号を送信する送信部と、ＵＬ制御信号に適用するフォーマットを制御する制御部と、を有し、前記制御部は、コンポーネントキャリアの設定数が５個以下となる既存システムのＰＵＣＣＨフォーマットと比較して容量が大きいフォーマットをＵＬ制御信号に適用することを特徴とする。
【発明の効果】
【００１１】
本発明によれば、ユーザ端末に設定可能なコンポーネントキャリア数が拡張される場合であっても、上り制御信号の送信を適切に行うことができる。
【図面の簡単な説明】
【００１２】
【図１】ＬＴＥの後継システムにおけるキャリアアグリゲーションの概要の説明図である。
【図２】ＬＴＥ  Ｒｅｌ．１３で検討されるキャリアアグリゲーションのコンポーネントキャリアの説明図である。
【図３】既存ＰＵＣＣＨフォーマットと新規フォーマットの一例を示す図である。
【図４】拡張ＣＡにおいて、一部ＣＣにＤＬ割当てがある場合を示す図である。
【図５】拡張ＣＡにおいて、ＤＬ割当てがあるＣＣに基づいた上り制御信号の送信方法の一例を説明する図である。
【図６】拡張ＣＡにおいて、ＤＬ割当てがあるＣＣに基づいた上り制御信号の送信方法の他の一例を説明する図である。
【図７】拡張ＣＡにおいて、アクティブ状態のＣＣに基づいた上り制御信号の送信方法の一例を説明する図である。
【図８】拡張ＣＡにおいて、アクティブ状態のＣＣに基づいた上り制御信号の送信方法の他の一例を説明する図である。
【図９】本実施の形態に係る無線通信システムの概略構成の一例を示す概略構成図である。
【図１０】本実施の形態に係る無線基地局の全体構成の一例を示す図である。
【図１１】本実施の形態に係る無線基地局の機能構成の一例を示す図である。
【図１２】本実施の形態に係るユーザ端末の全体構成の一例を示す図である。
【図１３】本実施の形態に係るユーザ端末の機能構成の一例を示す図である。
【発明を実施するための形態】
【００１３】
図１は、ＬＴＥの後継システム（ＬＴＥ  Ｒｅｌ．１０−１２）におけるキャリアアグリゲーション（ＣＡ）の概要の説明図である。図１Ａは、ＬＴＥ  Ｒｅｌ．１０におけるＣＡの概要を示している。図１Ｂは、ＬＴＥ  Ｒｅｌ．１１におけるＣＡの概要を示している。図１Ｃは、ＬＴＥ  Ｒｅｌ．１２におけるＤＣの概要を示している。
【００１４】
図１Ａに示すように、ＬＴＥ  Ｒｅｌ．１０におけるＣＡにおいては、ＬＴＥシステムのシステム帯域を一単位とするコンポーネントキャリア（ＣＣ）を最大５個（ＣＣ＃１〜ＣＣ＃５）集めて広帯域化することにより、高速なデータレートを実現している。
【００１５】
図１Ｂに示すように、ＬＴＥ  Ｒｅｌ．１１におけるＣＡにおいては、ＣＣ間で異なるタイミング制御を可能とするマルチプルタイミングアドバンス（ＭＴＡ）が導入されている。ＭＴＡを適用したＣＡでは、送信タイミングで分類されるタイミングアドバンスグループ（ＴＡＧ：Timing  Advance  Group）をサポートする。そして、１つの無線基地局のスケジューラにより、ＴＡＧ毎に信号の送信タイミングが制御される。これにより、無線基地局と、当該無線基地局に光ファイバ等の理想的バックホール（ideal  backhaul）で接続されたＲＲＨ（Remote  Radio  Head）等のように、遅延が小さい非同一位置（non-co-located）の複数ＣＣによるＣＡを実現している。
【００１６】
ＬＴＥ  Ｒｅｌ．１２では、遅延の無視できない非理想的バックホール（non-ideal  backhaul）で接続された複数の無線基地局によるセルグループ（ＣＧ：Cell-Group）を束ねるデュアルコネクティビティ（ＤＣ：Dual  Connectivity）が導入され、より柔軟な配置が実現された（図１Ｃ参照）。ＤＣでは、複数の無線基地局がそれぞれ備えるスケジューラ間で独立にスケジューリングが行われることが想定される。
【００１７】
これにより、異なる位置に配置され、独立にスケジューリングを行う無線基地局が形成する各セルグループに属するＣＣによるＣＡが実現される。また、ＤＣでは、設定されるセルグループの中においても、マルチプルタイミングアドバンスをサポートする。
【００１８】
これらのＬＴＥの後継システム（ＬＴＥ  Ｒｅｌ．１０−１２）におけるＣＡでは、ユーザ端末当たりに設定可能なＣＣ数が最大５個に制限されている。一方、ＬＴＥのさらなる後継システムであるＬＴＥ  Ｒｅｌ．１３以降においては、ユーザ端末当たりに設定可能なＣＣの数の制限を緩和し、６個以上のＣＣ（セル）を設定する拡張キャリアアグリゲーション（CA  enhancement）が検討されている。
【００１９】
拡張ＣＡでは、例えば図２に示すように、３２個のコンポーネントキャリアを束ねることが想定される。この場合には、無線基地局とユーザ端末間で最大で６４０ＭＨｚの帯域幅を利用して通信することができる。拡張ＣＡにより、より柔軟かつ高速な無線通信が実現される。また、拡張ＣＡでは、特定事業者による独占的な使用が許可された帯域であるライセンスバンド（Licensed  band）だけでなく、特定事業者に限定せずに無線基地局を設置可能な帯域であるアンライセンスバンド（Unlicensed  band）や高周波数帯域で多数のＣＣを活用して高帯域化することが期待されている。
【００２０】
一方で、本発明者等は、ユーザ端末に設定可能なＣＣ数が６個以上（例えば、３２個）に拡張される場合、既存システム（Ｒｅｌ．１０−１２）の送信方法をそのまま適用することが困難となることを見出した。
【００２１】
例えば、既存システム（Ｒｅｌ．１０−１２）では、各ＣＣで送信されるＤＬデータ（ＰＤＳＣＨ）に対する送達確認信号（ＨＡＲＱ−ＡＣＫ）等の上り制御信号を上り制御チャネル（ＰＵＣＣＨ）で送信する。この際、ユーザ端末は、５ＣＣ以下を前提としたＰＵＣＣＨフォーマット（例えば、ＰＵＣＣＨフォーマット１／１ａ、１ｂ、３又は１ｂに基づくチャネルセレクション）を適用して上り制御信号の送信を行う。
【００２２】
しかし、ユーザ端末が６ＣＣ以上の上り制御信号を送信する場合に既存のＰＵＣＣＨフォーマットをそのまま利用すると、通信が適切に行えなくなる可能性がある。このため、本発明者等は、Ｒｅｌ．１３以降において、６個以上のＣＣ（例えば、３２個のＣＣ）分の上り制御信号を送信するために、新しい上り制御送信方法を導入することを着想した。
【００２３】
まず本発明者等は、本発明の一態様として６個以上のＣＣに対応する上り制御信号（例えば、ＨＡＲＱ−ＡＣＫ）を多重可能な新規フォーマットを設定することを着想した。なお、以下の説明では、上り制御信号として、ＤＬ信号（ＰＤＳＣＨ）に対する送達確認信号を例に挙げて説明するが、本実施の形態はこれに限られない。
【００２４】
（第１の態様）
第１の態様では、６個以上のＣＣの上り制御信号（例えば、ＨＡＲＱ−ＡＣＫ）を多重可能な新規フォーマットについて説明する。
【００２５】
まず、既存システム（Ｒｅｌ．１０−１２）において、ユーザ端末が送達確認信号を送信する際に利用可能な既存ＰＵＣＣＨフォーマットについて説明する。
【００２６】
＜既存ＰＵＣＣＨフォーマット＞
ＦＤＤセルにおいてＣＡを適用しない場合（Ｎｏｎ−ＣＡ）、各ユーザ端末から１サブフレームでフィードバックされるＨＡＲＱ−ＡＣＫ（以下、「Ａ／Ｎ」とも記す）は１〜２ビットとなる。この場合、ユーザ端末は、ＰＵＣＣＨフォーマット１ａ／１ｂを適用して、１又は２ビットのＡ／ＮをＢＰＳＫ又はＱＰＳＫを利用して（ＢＰＳＫ又はＱＰＳＫ変調して）送信する。
【００２７】
ＦＤＤセルを用いてＣＡ（２ＣＣ）を適用する場合、各ユーザ端末から１サブフレームでフィードバックされるＡ／Ｎは最大４ビット必要となる。この場合、ユーザ端末は、ＰＵＣＣＨフォーマット１ｂに基づくチャネルセレクション（PUCCH  format  1b  with  channel  selection）を適用して、最大４ビットのＡ／Ｎを送信することができる。
【００２８】
ＰＵＣＣＨフォーマット１ｂに基づくチャネルセレクション（以下、単に「チャネルセレクション」とも記す）では、最大４ビットのＡ／Ｎを、複数のＰＵＣＣＨリソース候補とＱＰＳＫシンボルを用いて表現する。ユーザ端末は、各セルのＡ／Ｎの内容に応じて、所定のＰＵＣＣＨリソース／ＱＰＳＫシンボル点を選択してフィードバックする。
【００２９】
ＦＤＤセルにおいて３ＣＣ以上のＣＡを適用する場合、各ユーザ端末から１サブフレームでフィードバックされるＡ／Ｎは最大１０ビット（５ＣＣの場合）必要となる。この場合、ユーザ端末は、ＰＵＣＣＨフォーマット３を適用して、最大１０ビットのＡ／Ｎを送信することができる。
【００３０】
ＴＤＤでは、複数のＤＬサブフレームにそれぞれ対応するＡ／Ｎを１つのＵＬサブフレームに割当てるため、ＣＡを適用しない場合（Ｎｏｎ−ＣＡ）であっても、２ビットを超えるＡ／Ｎフィードバックが必要となる。そのため、ＴＤＤでは、複数のＤＬサブフレームのＡ／Ｎをまとめて１つのＡ／ＮとみなすＡ／Ｎバンドリングがサポートされている。また、ＴＤＤでは、ＣＡを適用しない場合であっても、ＰＵＣＣＨフォーマット１ｂに基づくチャネルセレクションやＰＵＣＣＨフォーマット３を設定することも可能となっている。
【００３１】
また、ＴＤＤでは、各ＣＣにおいて複数のＤＬサブフレーム分のＡ／Ｎを１つのＵＬで送信する。このため、ＴＤＤセルにおいてＣＡ（２ＣＣ）を適用する場合、１つのＵＬサブフレームに多重されるＡ／Ｎが４ビットを超える場合がある。例えば、ＴＤＤにおいてＤＬ／ＵＬ構成２をＣＡ（２ＣＣ）する場合、１つのＵＬでフィードバックすべきＡ／Ｎは、最大で１６ビット（４サブフレーム×２ＣＷ（コードワード）×２ＣＣ）となる。上述したように、既存システムのＴＤＤでは、４ビットを超える場合に、Ａ／Ｎの空間バンドリング（Ｂｕｎｄｌｉｎｇ）を適用して２ＣＷ分を１ビットのＡ／Ｎとすることがサポートされている。
【００３２】
ユーザ端末は、Ａ／Ｎの空間バンドリングを適用することにより、１つのＵＬサブフレームでフィードバックするＡ／Ｎを最大８ビット（＝１６／２）とすることができる。さらにＴＤＤのＰＵＣＣＨフォーマット１ｂに基づくチャネルセレクションでは、最大８ビットのＡ／Ｎを符号系列（ＲＭ  Ｃｏｄｅ  ｉｎｐｕｔ  Ｂｉｔｓ）を利用することによりＦＤＤと同じ４ビットに変換する。これにより、より多いＡ／Ｎビットのフィードバックをサポートすることができる。
【００３３】
ＴＤＤセルにおいて３ＣＣ以上のＣＡを適用する場合、各ユーザ端末から１サブフレームでフィードバックされるＡ／Ｎは最大２０ビット（５ＣＣの場合）必要となる。このため、ＴＤＤセルにおける既存のＰＵＣＣＨフォーマット３では、最大２０ビットのＡ／Ｎフィードバックをサポートしている。
【００３４】
本実施の形態における新規フォーマットとしては、ＣＣの設定数が５個以下となる既存システム（Ｒｅｌ．１０〜１２）のＰＵＣＣＨフォーマットと比較して容量を大きくした構成とすることができる。
【００３５】
例えば、ユーザ端末に設定可能なＣＣ数が３２個とする場合を想定する。この場合、１ＣＣにおいて２コードワード（トランスポートブロック）のＨＡＲＱ−ＡＣＫのサポートを考慮すると、新規フォーマットは多重可能ビット数が６４（多重可能ユーザ数が１）となる構成とすることが考えられる（図３参照）。もちろん、新規フォーマットの構成は図３に示す構成に限られない。
【００３６】
図３に示すように、新規フォーマットは、多重可能ビット数（容量）を既存ＰＵＣＣＨフォーマットと比較して大幅に増やすことができる。なお、６個以上のＣＣの上り制御信号を多重可能な新規フォーマットは、新規ＰＵＣＣＨフォーマット、ＰＵＣＣＨフォーマット４、拡張ＰＵＣＣＨフォーマット、大容量ＰＵＣＣＨフォーマット等とも呼ぶことができる。
【００３７】
新規のフォーマットの構成としては、例えば、ＰＵＣＣＨフォーマット３の直交拡散ブロック符号を減らす方法が考えられる。既存のＰＵＣＣＨフォーマット３は、同一のビット系列を５つまたは４つの時間シンボルにコピーし、直交拡散符号を乗算する。ユーザ毎に異なる直交拡散符号を乗算することで、互いに直交多重されるものとなっている。この直交符号長を例えば１とすることにより、異なる情報ビット系列を５つまたは４つの時間シンボルに乗せることが可能となる。ただしこの場合、同一ＰＲＢ上に多重可能なユーザ数は低減する。例えば直交符号長が１の場合、送信できるビット系列長は既存のＰＵＣＣＨフォーマット３の５倍または４倍となるが、多重可能なユーザ数は１となる。
【００３８】
新規フォーマット（大容量ＰＵＣＣＨフォーマット）として、２ＰＲＢ以上の周波数リソースを用いるＰＵＣＣＨフォーマットを規定することも考えられる。例えば既存のＰＵＣＣＨフォーマット３の構成を元に、２ＰＲＢで送信するＰＵＣＣＨフォーマットを規定すれば、既存のＰＵＣＣＨフォーマット３の２倍のビット系列を送信することが可能となる。いずれのＰＲＢ数を用いるか、そしてどのＰＲＢを用いて送信するかは、当該ＰＵＣＣＨに多重するＨＡＲＱ−ＡＣＫやＣＳＩのビット数に応じてＵＥが判断するものとしても良いし、あらかじめＲＲＣ等の上位レイヤシグナリングで指定しても良いし、基地局がＰＤＣＣＨ等の制御信号でサブフレームごとに指示するものとしても良い。
【００３９】
あるいは、大容量ＰＵＣＣＨフォーマットとして、１６ＱＡＭ以上の多値変調を用いるＰＵＣＣＨフォーマットを規定することも考えられる。例えば既存のＰＵＣＣＨフォーマット３の構成を元に、ＵＣＩを１６ＱＡＭ変調するＰＵＣＣＨフォーマットを規定すれば、既存のＰＵＣＣＨフォーマット３の２倍のビット系列を送信することが可能となる。いずれの変調方式を用いるかは、当該ＰＵＣＣＨに多重するＨＡＲＱ−ＡＣＫやＣＳＩのビット数に応じてＵＥが判断するものとしても良いし、あらかじめＲＲＣ等の上位レイヤシグナリングで指定しても良いし、基地局がＰＤＣＣＨ等の制御信号でサブフレームごとに指示するものとしても良い。
【００４０】
上記説明において、既存のＰＵＣＣＨフォーマット３の構成を元とするとは、ＨＡＲＱ−ＡＣＫやＣＳＩといったＵＣＩに対する符号化方法、無線リソースへのマッピング順序、ＰＵＣＣＨフォーマット３に含まれる参照信号の時間的なシンボル位置、などを再利用することを意味する。参照信号を生成する参照信号系列は、１ＰＲＢとは違うものを使うことが想定される。例えば、既存ＬＴＥで規定されている２ＰＲＢのＰＵＳＣＨに多重する参照信号系列を用いることが考えられる。
【００４１】
あるいは、６個以上のＣＣの上り制御信号を多重可能な新規フォーマットとして、ＰＵＳＣＨを利用することも可能である。この場合、ユーザ端末は、ＰＵＳＣＨの送信を行わない場合であっても上り制御信号の送信をＰＵＳＣＨで行う。
【００４２】
既存システムでは、ＵＬデータ送信とＵＣＩ送信が同一サブフレームで発生した場合、ユーザ端末は、ＵＬデータ送信を行うよう指示されたＰＵＳＣＨの中にＵＣＩを多重（Ｐｉｇｇｙｂａｃｋ）する方法を適用している。ＰＵＳＣＨはＰＵＣＣＨと異なり同一ＰＲＢに異なるユーザを符号多重する構成を取っておらず、ＰＲＢあたりに含めることができる情報ビット数が大きい。そこで、ＵＬデータが無くても、ＵＣＩをＰＵＳＣＨで送信するようにすれば、これを大容量ＰＵＣＣＨフォーマットとみなしてＵＣＩを送信することが可能となる。
【００４３】
既存のＰＵＳＣＨは、基地局からのＰＤＣＣＨ／ＥＰＤＣＣＨ（ＤＣＩフォーマット０やＤＣＩフォーマット４などとして規定されているＵＬグラント）や上位レイヤシグナリングに基づいて特定サブフレーム・特定ＰＲＢで送信される。これを、例えばＨＡＲＱ−ＡＣＫやＣＳＩの送信しかない場合でもＰＵＳＣＨ送信を行うことができるようにすることができる。
【００４４】
ＵＣＩを送信するＰＵＳＣＨ構成の割り当てＰＲＢやＭＣＳは、例えば予め上位レイヤシグナリングで指定していても良いし、下りデータ割り当てを指示するＰＤＣＣＨ／ＥＰＤＣＣＨ（ＤＣＩフォーマット１ＡやＤＣＩフォーマット２Ｄなどとして規定されているＤＬアサインメント）や下りデータが送信されるＰＤＳＣＨの情報などに基づいて定まるものであっても良い。このようにすることで、ＰＵＳＣＨ形式の大容量ＰＵＣＣＨフォーマットを送信するＰＲＢを指定するためにＰＤＣＣＨを送信する必要が無くなるので、制御信号領域のオーバーヘッドを削減できる。
【００４５】
また、従来、ＵＬデータを含むＰＵＳＣＨを送信した場合、ユーザ端末は当該ＰＵＳＣＨに対応するＰＨＩＣＨを受信し、再送を行うか否かを決定していた。一方で、ＨＡＲＱ−ＡＣＫやＣＳＩの送信を行うＰＵＣＣＨには、ＨＡＲＱは適用されていない。そこで、大容量ＰＵＣＣＨフォーマットとして使用されるＰＵＳＣＨを送信する場合（すなわちＵＬデータを含まずＵＣＩしか含まない場合）、ユーザ端末は、当該ＰＵＳＣＨに対応するＰＨＩＣＨの受信・検出を行わなくても良いものとしても良い。このようにすることで、ユーザ端末が不要なＰＨＩＣＨ受信を行わなくて良くなるため、ユーザ端末の処理負担を軽減することが可能となる。
【００４６】
または、大容量ＰＵＣＣＨフォーマットとして使用されるＰＵＳＣＨを送信する場合（すなわちＵＬデータを含まずＵＣＩしか含まない場合）、ユーザ端末は、当該ＰＵＳＣＨに対応するＰＨＩＣＨの受信・検出を行うものとしても良い。符号拡散を行わないＰＵＳＣＨは、ＰＵＣＣＨよりも高い受信品質（信号対干渉雑音電力比：ＳＩＮＲ）が必要となる。このようにＵＣＩしか含まないＰＵＳＣＨに対してＰＨＩＣＨで検出結果を通知し、ＨＡＲＱを適用することにより、基地局が高い品質で確実に制御信号を受信できるようになる。
【００４７】
＜制御方法＞
ユーザ端末は、Ｒｅｌ．１３のキャリアアグリゲーション（Ｒｅｌ．１３  ＣＡ）をサポートしていることを無線基地局（ネットワーク）に通知する。この際、ユーザ端末は、Ｒｅｌ．１３  ＣＡをサポートすることを能力情報（Capability）として無線基地局に報告することができる。なお、Ｒｅｌ．１３  ＣＡは、例えば、６個以上のＣＣを用いたＣＡを指す。
【００４８】
無線基地局は、当該ユーザ端末に対して、Ｒｅｌ．１３  ＣＡを設定（Configure）すると共に、Ｒｅｌ．１３以降で規定される上り制御情報（ＵＣＩ）送信方法を設定する。上り制御情報（ＵＣＩ）送信方法は、例えば、無線基地局は、上述した新規フォーマット（大容量ＰＵＣＣＨフォーマット）をユーザ端末に設定する。
【００４９】
上位レイヤシグナリング等でＲｅｌ．１３  ＣＡを設定されたユーザ端末は、Ｒｅｌ．１３  ＣＡを適用すると共に、Ｒｅｌ．１３以降で規定されるＵＣＩ送信方法（新規フォーマット）を用いてＨＡＲＱ−ＡＣＫ等のフィードバックを制御する。ユーザ端末は、その後にＲＲＣシグナリング等でＣＡ（設定されるＣＣ数等）が再設定（Reconfiguration）されない限り、Ｒｅｌ．１３以降で規定されたＵＣＩ送信方法（例えば、新規フォーマット）を適用する構成とすることができる。
【００５０】
このように、ユーザ端末が６ＣＣ以上の上り制御信号に対応した新規フォーマットを適用することにより、ユーザ端末に設定可能なＣＣ数が６個以上に拡張される場合であっても、上り制御信号の送信を適切に行うことが可能となる。
【００５１】
（第２の態様）
第１の態様で示したように、６ＣＣ以上の上り制御信号を多重可能な新規フォーマットを用いることにより、ユーザ端末が１回のＵＬ送信で６ＣＣ以上に対応する上り制御信号を送信することができる。
【００５２】
一方、本発明者等は、通信状況によっては、新規フォーマット（大容量ＰＵＣＣＨフォーマット）が設定されたユーザ端末に対してＤＬ信号（ＤＬ送信）が割当てられるＣＣ数が少なくなる場合が生じる点に着目した。
【００５３】
例えば、複数ＣＣ（例えば、３２ＣＣ）が設定されたユーザ端末に対して、あるサブフレームにおいて３ＣＣのみＤＬ信号が送信される場合を想定する（図４参照）。図４では、あるサブフレームにおいて、ＣＣ＃１、＃２、＃４でＤＬ信号が送信され、他のＣＣではＤＬ信号が送信されない場合を示している。この場合、ユーザ端末は、３ＣＣ分のＤＬ信号に対するＨＡＲＱ−ＡＣＫをフィードバックするために、容量が大きい新規フォーマットを適用する。
【００５４】
このように、本発明者等は、ユーザ端末が新規フォーマットを適用する場合、ＤＬ信号（ＤＬ送信）が割当てられるＣＣ数が少ない場合には過剰なオーバーヘッドのＰＵＣＣＨを使用してしまい、ＵＬリソースの利用効率が低減するおそれがあることを見出した。
【００５５】
そこで、本発明者等は、ＤＬ信号が送信されるＣＣ数（ＤＬ割当てのあるＣＣ数）に基づいてＵＬ制御信号に適用するフォーマットを変更して制御することを着想した。以下に、ＤＬ信号が割当てられるＣＣに基づいてＵＬ制御信号に適用するフォーマットを制御する方法について説明する。
【００５６】
Ｒｅｌ．１３  ＣＡが設定されたユーザ端末は、ＤＬ信号が送信されるＣＣに基づいて既存ＰＵＣＣＨフォーマット（レガシＵＣＩ送信法）と、新規フォーマット（新規ＵＣＩ送信法）と、を切り替えて上り制御信号の送信を制御する。ユーザ端末は、ＣＣに対するＤＬ信号（ＤＬ送信）の割当て有無を、下り制御チャネル（ＰＤＣＣＨ及び／又はＥＰＤＣＣＨ）の検出に基づいて判断することができる。
【００５７】
つまり、Ｒｅｌ．１３  ＣＡが設定されたユーザ端末は、ＤＬ割当てが所定ＣＣしかＤＬ信号の割当てがない場合には、既存の上り制御信号の送信を適用する（レガシＵＣＩ送信にフォールバックする）。以下に、ＤＬ信号が割当てられるＣＣに応じた上り制御信号の送信方法について説明する。
【００５８】
＜２ＣＣの場合＞
あるサブフレームにおいて複数ＣＣのうち所定の２ＣＣしかＤＬ信号の割当てがない場合、ユーザ端末は、既存のＰＵＣＣＨフォーマット（PUCCH  format  1b  with  channel  selection）を用いてＨＡＲＱ−ＡＣＫを送信することができる。所定の２ＣＣは、例えば、プライマリセル（ＰＣｅｌｌ、主セルとも呼ぶ）と、所定のセカンダリセル（ＳＣｅｌｌ、副セルとも呼ぶ）とすることができる。所定のＳＣｅｌｌは、例えば、ＳＣｅｌｌインデックス（SCell  Index）が最小となるＳＣｅｌｌ（ＳＣｅｌｌ＃０）とすることができる。
【００５９】
あるいは、所定の２ＣＣとして、ＰＣｅｌｌと、無線基地局から指定された特定のＳＣｅｌｌとすることができる。無線基地局は、上位レイヤシグナリング（例えば、ＲＲＣシグナリング）を用いて特定のＳＣｅｌｌをユーザ端末に設定（Configure）することができる。
【００６０】
図５Ａは、所定の２ＣＣを、ＰＣｅｌｌ（ここでは、ＣＣ＃１）と、ＳＣｅｌｌインデックスが最小のＳＣｅｌｌ（ここでは、ＣＣ＃２）とする場合を示している。例えば、ＤＬ信号の割当てがＣＣ＃１とＣＣ＃２以外にある場合、ユーザ端末はＲｅｌ．１３以降で規定されるＵＣＩ送信法（例えば、新規フォーマット）を適用して上り制御信号を送信する。一方で、ＤＬ信号の割当てがＣＣ＃１とＣＣ＃２しかない場合、ユーザ端末はより拡散率が高いか、所要ＳＩＮＲが低い（すなわち誤る確率が低い）既存のＰＵＣＣＨフォーマット１ｂに基づくチャネルセレクションを適用して上り制御信号を送信することができる。図５Ａの方法では、データをスケジュールする確率が高いＣＣを予め番号が低いＣＣ（例えばＣＣ＃１とＣＣ＃２）に設定することで、制御信号の送信頻度を下げ、オーバーヘッドの増加を抑えることができる。
【００６１】
図５Ｂは、所定の２ＣＣを、ＰＣｅｌｌ（ここでは、ＣＣ＃１）と、上位レイヤシグナリングで設定された特定のＳＣｅｌｌ（ここでは、ＣＣ＃５）とする場合を示している。ＤＬ信号の割当てがＣＣ＃１とＣＣ＃５以外にある場合、ユーザ端末はＲｅｌ．１３以降で規定されるＵＣＩ送信法（例えば、新規フォーマット）を適用して上り制御信号を送信する。一方で、ＤＬ信号の割当てがＣＣ＃１とＣＣ＃５しかない場合、ユーザ端末はより拡散率が高いか、所要ＳＩＮＲが低い（すなわち誤る確率が低い）既存のＰＵＣＣＨフォーマット１ｂに基づくチャネルセレクションを適用して上り制御信号を送信することができる。ＳＣｅｌｌインデックスは、クロスキャリアスケジューリングの制御やＭＡＣ制御等、様々なところで利用される。図５Ｂの方法では、ＳＣｅｌｌインデックスと当該所定の２ＣＣを切り離すことで、より柔軟な制御を実現できるようになる。
【００６２】
図５に示すように、所定ＣＣにおけるＤＬ信号の割当てに基づいて上り制御信号に適用するフォーマットを制御することにより、通信状況に応じて適切なフォーマットを適用して上り送信を行うことができる。これにより、新規フォーマットが設定されたユーザ端末が上り制御信号を送信する場合であっても、ＵＬリソースの利用効率が低減することを抑制することができる。
【００６３】
また、図５に示すように、２ＣＣとして所定ＣＣを設定することにより、所定のＣＣ以外でスケジューリングされた場合はＲｅｌ．１３  ＣＡの動作を行う制御を実現することができる。例えば、所定のＣＣ以外とは、アンライセンスバンドのＣＣとすることができる。つまり、ユーザ端末に設定されるＣＣとして、ライセンスバンドＣＣとアンライセンスバンドＣＣが混在する場合、ライセンスバンドＣＣ（例えば、２ＣＣ）に対して既存ＰＵＣＣＨフォーマットを適用する。一方で、ユーザ端末は、アンライセンスバンドＣＣが加わった場合（ＤＬ割当てがある場合）に新規フォーマットを適用する構成とすることができる。
【００６４】
データの大小（すなわち使用するＣＣ数の大小）に関わらず、同一基地局に接続するユーザの動作に対して、既存ＰＵＣＣＨフォーマットを用いるか、新規ＰＵＣＣＨフォーマットを用いるかについて、統一制御することが可能となる。異なるＰＵＣＣＨフォーマットで送信するユーザを無くすもしくは減らすことにより、上り無線リソースの効率的な利用が可能となる。なお、２ＣＣとして所定セルに限定せず、複数のＣＣのうちいずれか２ＣＣ（又は、ＰＣｅｌｌといずれかのＳＣｅｌｌ）だけにＤＬ信号の割当てがある場合に、ユーザ端末がＰＵＣＣＨフォーマット１ｂに基づくチャネルセレクションを適用する構成としてもよい。
【００６５】
また、ユーザ端末は、いずれかのセルで上りデータ（ＰＵＳＣＨ）が送信される場合には、当該ＰＵＳＣＨを用いて上り制御信号をフィードバックすることができる。
【００６６】
＜５ＣＣ以下の場合＞
あるサブフレームにおいて複数ＣＣのうち所定の５ＣＣしかＤＬ信号の割当てがない場合、ユーザ端末は、既存のＰＵＣＣＨフォーマット（PUCCH  format  3）を用いてＨＡＲＱ−ＡＣＫを送信することができる。所定の５ＣＣは、例えば、ＰＣｅｌｌと、所定のＳＣｅｌｌとすることができる。所定のＳＣｅｌｌとしては、例えば、ＳＣｅｌｌインデックスが小さい順に４ＣＣまでのＳＣｅｌｌ（ＳＣｅｌｌ＃０〜＃４）とすることができる。
【００６７】
あるいは、所定の５ＣＣとして、ＰＣｅｌｌと、無線基地局から指定された特定の４ＣＣまでのＳＣｅｌｌとすることができる。無線基地局は、上位レイヤシグナリング（例えば、ＲＲＣシグナリング）を用いて特定のＳＣｅｌｌをユーザ端末に設定（Configure）することができる。
【００６８】
図６Ａは、所定の５ＣＣを、ＰＣｅｌｌ（ここでは、ＣＣ＃１）と、ＳＣｅｌｌインデックスが小さい順に最大４ＣＣまでのＳＣｅｌｌ（ここでは、ＣＣ＃２〜＃５）とする場合を示している。例えば、ＤＬ信号の割当てがＣＣ＃１とＣＣ＃２〜＃５以外にある場合、ユーザ端末はＲｅｌ．１３以降で規定されるＵＣＩ送信法（例えば、新規フォーマット）を適用する。一方で、ＤＬ信号の割当てがＣＣ＃１とＣＣ＃２〜＃５のいずれにしかない場合、ユーザ端末はより拡散率が高いか、所要ＳＩＮＲが低い（すなわち誤る確率が低い）既存のＰＵＣＣＨフォーマット３を適用することができる。図６Ａの方法では、データをスケジュールする確率が高いＣＣを予め番号が低いＣＣ（例えばＣＣ＃１〜ＣＣ＃５）に設定することで、制御信号の送信頻度を下げ、オーバーヘッドの増加を抑えることができる。
【００６９】
図６Ｂは、所定の５ＣＣを、ＰＣｅｌｌ（ここでは、ＣＣ＃１）と、上位レイヤシグナリングで設定された特定のＳＣｅｌｌ（ここでは、ＣＣ＃３、＃５、＃１６、＃１７）とする場合を示している。ＤＬ信号の割当てがＰＣｅｌｌ（ＣＣ＃１）と特定のＳＣｅｌｌ以外にある場合、ユーザ端末はＲｅｌ．１３以降で規定されるＵＣＩ送信法（例えば、新規フォーマット）を適用する。一方で、ＤＬ信号の割当てがＰＣｅｌｌと特定のＳＣｅｌｌしかない場合、ユーザ端末はより拡散率が高いか、所要ＳＩＮＲが低い（すなわち誤る確率が低い）既存のＰＵＣＣＨフォーマット３を適用することができる。ＳＣｅｌｌインデックスは、クロスキャリアスケジューリングの制御やＭＡＣ制御等、様々なところで利用される。図６Ｂの方法では、ＳＣｅｌｌインデックスと当該所定の５ＣＣを切り離すことで、より柔軟な制御を実現できるようになる。
【００７０】
また、ユーザ端末は、ＤＬ信号の割当てが所定の２ＣＣの場合には、上記図５で示したようにＰＵＣＣＨフォーマット１ｂに基づくチャネルセレクションを適用してもよい。
【００７１】
図６に示すように、所定ＣＣにおけるＤＬ信号の割当てに基づいて上り制御信号に適用するフォーマットを制御することにより、通信状況に応じて適切なフォーマットを適用して上り送信を行うことができる。これにより、新規フォーマットが設定されたユーザ端末が上り制御信号を送信する場合であっても、ＵＬリソースの利用効率が低減することを抑制することができる。
【００７２】
また、図６に示すように、５ＣＣとして所定ＣＣを設定することにより、所定のＣＣ以外でスケジューリングされた場合はＲｅｌ．１３  ＣＡの動作を行う制御を実現することができる。例えば、所定のＣＣ以外とは、アンライセンスバンドのＣＣとすることができる。つまり、ユーザ端末に設定されるＣＣとして、ライセンスバンドＣＣとアンライセンスバンドＣＣが混在する場合、ライセンスバンドＣＣ（例えば、５ＣＣ）に対して既存ＰＵＣＣＨフォーマットを適用する。一方で、ユーザ端末は、アンライセンスバンドＣＣが加わった場合（ＤＬ割当てがある場合）に新規フォーマットを適用する構成とすることができる。
【００７３】
データの大小（すなわち使用するＣＣ数の大小）に関わらず、同一基地局に接続するユーザの動作に対して、既存ＰＵＣＣＨフォーマットを用いるか、新規ＰＵＣＣＨフォーマットを用いるかについて、統一制御することが可能となる。異なるＰＵＣＣＨフォーマットで送信するユーザを無くすもしくは減らすことにより、上り無線リソースの効率的な利用が可能となる。なお、５ＣＣとして所定セルに限定せず、複数のＣＣのうちいずれか５ＣＣ（又は、ＰＣｅｌｌと４ＣＣ以下のいずれかのＳＣｅｌｌ）だけにＤＬ信号の割当てがある場合に、ユーザ端末がＰＵＣＣＨフォーマット３を適用する構成としてもよい。
【００７４】
＜１ＣＣの場合＞
あるサブフレームにおいて複数ＣＣのうち所定の１ＣＣ（例えば、ＰＣｅｌｌ）しかＤＬ信号の割当てがない場合、ユーザ端末は、既存のＰＵＣＣＨフォーマット（PUCCH  format  1b）を用いてＨＡＲＱ−ＡＣＫを送信する。
【００７５】
このように、上り制御信号のデータ量が少ない場合に、新規フォーマットと比較して容量が小さいＰＵＣＣＨフォーマットを適用（フォールバック）することにより、ＵＬオーバーヘッドを動的（Dynamic）に削減することができる。
【００７６】
＜制御方法＞
ユーザ端末は、Ｒｅｌ．１３  ＣＡ（例えば、６ＣＣ以上を用いたＣＡ）をサポートしていることを無線基地局（ネットワーク）に通知する。無線基地局は、ユーザ端末に対して上位レイヤシグナリング（例えば、ＲＲＣシグナリング等）によりＣＡを設定（Configure）する。また、無線基地局は、ＣＡを行うＣＣに関する情報（周波数及び／又はＣＣ数等の情報）をユーザ端末に通知する。
【００７７】
また、無線基地局は、Ｒｅｌ．１３以降で適用可能なＵＣＩ送信法（例えば、新規フォーマット）の情報をユーザ端末に通知する。また、無線基地局は、既存システムのＰＵＣＣＨフォーマットを適用する際に用いるＰＵＣＣＨリソースに関する情報及び／又は当該ＰＵＣＣＨを送信するＣＣに関する情報をユーザ端末に通知することができる。既存システムのＰＵＣＣＨフォーマットは、ＰＵＣＣＨフォーマット３及び／又はＰＵＣＣＨフォーマット１ｂに基づくチャネルセレクションを指す。
【００７８】
なお、ユーザ端末が、セルインデックス（例えば、ＳＣｅｌｌインデックス）に基づいてＰＵＣＣＨを送信するＣＣを選択する場合には、無線基地局からＣＣを指定するシグナリングを不要とすることができる。
【００７９】
ユーザ端末は、ＤＬデータ（ＰＤＳＣＨ）の割当てＣＣに応じて所定のフォーマットを選択して、上り制御信号（例えば、ＨＡＲＱ−ＡＣＫ）のフィードバックを制御する。
【００８０】
例えば、ユーザ端末が、ＤＬ信号の割当てＣＣ数に応じて新規フォーマット、ＰＵＣＣＨフォーマット３、又はＰＵＣＣＨフォーマット１ｂを適用して上り制御信号を送信する場合を想定する。ＰＣｅｌｌだけにＤＬ信号が割当てられる場合、ユーザ端末はＰＵＣＣＨフォーマット１ｂを適用して上り制御信号を送信する。ＤＬ信号の割当てが２ＣＣ以上５ＣＣ以下であり、ＰＣｅｌｌと特定のＣＣ（ＳＣｅｌｌ）だけにＤＬ信号が割当てられる場合、ユーザ端末はＰＵＣＣＨフォーマット３を適用して上り制御信号を送信する。ＤＬ信号の割当てが６ＣＣ以上、又は特定のＣＣ（ＳＣｅｌｌ）以外に割当てがある場合、ユーザ端末は新規フォーマットを適用して上り制御信号を送信する。
【００８１】
また、ユーザ端末が、ＤＬ信号の割当てＣＣ数に応じて新規フォーマット、ＰＵＣＣＨフォーマット１ｂに基づくチャネルセレクション、又はＰＵＣＣＨフォーマット１ｂを適用する場合を想定する。ＰＣｅｌｌだけにＤＬ信号が割当てられる場合、ユーザ端末はＰＵＣＣＨフォーマット１ｂを適用して上り制御信号を送信する。ＤＬ信号の割当てが２ＣＣであり、ＰＣｅｌｌと特定のＣＣ（ＳＣｅｌｌ）だけにＤＬ信号が割当てられる場合、ユーザ端末はＰＵＣＣＨフォーマット１ｂに基づくチャネルセレクションを適用して上り制御信号を送信する。ＤＬ信号の割当てが６ＣＣ以上、又は特定のＣＣ（ＳＣｅｌｌ）以外に割当てがある場合、ユーザ端末は新規フォーマットを適用して上り制御信号を送信する。
【００８２】
このように、ユーザ端末がＤＬの割当てＣＣに基づいて、新規フォーマットと既存ＰＵＣＣＨフォーマットを切り替えて適用することにより、ＣＣ数が６個以上に拡張される場合であっても、上り制御信号の送信を適切に行うと共にＵＬオーバーヘッドを適切に削減ことが可能となる。
【００８３】
（第３の態様）
第３の態様では、ユーザ端末に設定されるＣＣのうち、アクティブ状態（Activate）のＣＣ数に基づいて上り制御信号に適用するフォーマットを制御する場合について説明する。
【００８４】
上記第２の態様では、ＤＬ信号の割当てＣＣに応じて上り制御信号に適用するフォーマットを変更する。この際、ユーザ端末は下り制御チャネル（ＰＤＣＣＨ及び／又はＥＰＤＣＣＨ）の検出に基づいて各ＣＣに対するＤＬ信号の割当て有無を判断する。一方で、ユーザ端末は、下り制御チャネルの検出をミスする場合もある。
【００８５】
例えば、３２ＣＣにおいてＤＬ信号が割当てられて送信する場合を想定する。かかる場合、無線基地局は、ユーザ端末が新規フォーマットを適用して上り制御信号をフィードバックすると判断する。しかし、ユーザ端末が一部のＣＣにおける下り制御チャネルを検出ミスした場合、ユーザ端末は既存フォーマットを適用して上り制御信号をフィードバックする。このように、通信状況によっては、ユーザ端末と無線基地局間で上り制御信号に適用するフォーマットの認識が異なる可能性も生じる。
【００８６】
この場合、無線基地局は、６ＣＣ以上にＤＬを割当てる場合であっても、新規フォーマットに加えて、既存ＰＵＣＣＨフォーマットについても検出動作を行うことにより、ユーザ端末から送信されるＨＡＲＱ−ＡＣＫを取得すればよい。一方で、無線基地局が新規フォーマットと既存ＰＵＣＣＨフォーマットを常にモニタリングする場合、複雑な処理が必要となる。
【００８７】
そこで、本発明者等は、本実施の形態の他の態様（第３の態様）として、アクティブ状態（Activate）のＣＣ数に基づいて上り制御信号に適用するフォーマットを制御することを着想した。以下に、アクティブ状態として設定されるＣＣ数に応じてユーザ端末が上り制御信号に適用するフォーマットを制御する場合について説明する。
【００８８】
＜２ＣＣの場合＞
ユーザ端末は、アクティブ状態のＣＣ数が２の場合、新規フォーマットが設定されている場合であっても、既存のＰＵＣＣＨフォーマット１ｂに基づくチャネルセレクションを適用（フォールバック）することができる。アクティブ状態の２ＣＣのうち、一つはＰＣｅｌｌであり、他の一つは任意のＳＣｅｌｌとすることができる。
【００８９】
なお、アクティブ状態（Activate）のＣＣとは、ユーザ端末に設定される複数のＣＣの中で、基地局から端末に対しＭＡＣ  Ｃｏｎｔｒｏｌ  Ｅｌｅｍｅｎｔ（ＣＥ）によりＡｃｔｉｖｅであると通知されたＣＣ（セル）を指し、ＰＣｅｌｌは常にアクティブ状態とすることができる。非アクティブ状態（De-Activate）のＣＣとは、ユーザ端末に設定される複数のＣＣの中でアクティブ状態以外のＣＣを指す。無線基地局は、各ＣＣの状態（アクティブ状態又は非アクティブ状態）について、ＭＡＣ（Medium  Access  Control）レイヤを用いてユーザ端末に設定することができる。
【００９０】
図７Ａは、ＰＣｅｌｌ（ここでは、ＣＣ＃１）と、任意の１つのＳＣｅｌｌ（ここでは、ＣＣ＃１６）がアクティブ状態のＣＣ（その他ＣＣは非アクティブ状態）として設定される場合を示している。この場合、ユーザ端末は、Ｒｅｌ．１３  ＣＡ（例えば、新規フォーマット）が設定されていても、既存のＰＵＣＣＨフォーマット１ｂに基づくチャネルセレクションを適用することができる。
【００９１】
一方で、上位レイヤシグナリング（例えば、ＲＲＣシグナリング）等でＣＡが再設定（Reconfiguration）されて、２個以上のＳＣｅｌｌ（３個以上のＣＣ）がアクティブ状態となった場合、新規ＰＵＣＣＨフォーマットを適用して上り制御信号を送信する。例えば、図７Ａの状態から、さらに２つのＳＣｅｌｌ（ここでは、ＣＣ＃２とＣＣ＃４）がアクティブ状態に設定される場合を図７Ｂに示す。図７Ｂに示すように、アクティブ状態のＣＣ数が３以上（アクティブ状態のＳＣｅｌｌが２以上）となった場合、ユーザ端末は、新規ＰＵＣＣＨフォーマットを適用することができる。
【００９２】
＜２ＣＣ〜５ＣＣの場合＞
ユーザ端末は、アクティブ状態のＣＣ数が２個以上５個以下の場合、新規フォーマットが設定されている場合であっても、既存のＰＵＣＣＨフォーマット３を適用（フォールバック）することができる。アクティブ状態の２ＣＣ〜５ＣＣのうち、一つはＰＣｅｌｌであり、残りは任意のＳＣｅｌｌとすることができる。
【００９３】
図８Ａは、ＰＣｅｌｌ（ここでは、ＣＣ＃１）と、任意の４つのＳＣｅｌｌ（ここでは、ＣＣ＃３、＃４、＃１６、＃１７）がアクティブ状態のＣＣとして設定される場合を示している。この場合、ユーザ端末は、Ｒｅｌ．１３  ＣＡ（例えば、新規フォーマット）が設定されていても、既存のＰＵＣＣＨフォーマット３を適用することができる。
【００９４】
一方で、上位レイヤシグナリング（例えば、ＲＲＣシグナリング）等でＣＡが再設定されて、５個以上のＳＣｅｌｌ（６個以上のＣＣ）がアクティブ状態となった場合、新規ＰＵＣＣＨフォーマットを適用して上り制御信号を送信する。例えば、図８Ａの状態から、さらに２つのＳＣｅｌｌ（ここでは、ＣＣ＃２とＣＣ＃１５）がアクティブ状態になる場合を図８Ｂに示す。図８Ｂに示すようにアクティブ状態のＣＣ数が６以上（アクティブ状態のＳＣｅｌｌが５以上）となった場合、ユーザ端末は、既に設定されている新規ＰＵＣＣＨフォーマットを適用することができる。
【００９５】
このように、アクティブ状態のＣＣ数に基づいて、上り制御信号のデータ量が少ない場合に新規フォーマットより容量が小さいＰＵＣＣＨフォーマットを適用（フォールバック）することにより、ＵＬオーバーヘッドを削減することができる。また、アクティブ状態のＣＣ数の判断についてはＭＡＣ制御で行うことができるため、無線基地局とユーザ端末の認識不一致が生じる可能性を小さくすることができる。これにより、無線基地局は、アクティブ状態として設定したＣＣに基づいて、特定のＰＵＣＣＨ（ＰＵＣＣＨフォーマット用リソース）について検出動作を行えばよくなるため、検出動作を簡略化することができる。
【００９６】
＜制御方法＞
ユーザ端末は、Ｒｅｌ．１３  ＣＡ（例えば、６ＣＣ以上を用いたＣＡ）をサポートしていることを無線基地局（ネットワーク）に通知する。無線基地局は、ユーザ端末に対して上位レイヤシグナリング（例えば、ＲＲＣシグナリング等）によりＣＡを設定（Configure）する。また、無線基地局は、ＣＡを行うＣＣに関する情報（周波数及び／又はＣＣ数等の情報）をユーザ端末に通知する。
【００９７】
また、無線基地局は、Ｒｅｌ．１３以降で適用するＵＣＩ送信法（例えば、新規フォーマット）の情報をユーザ端末に通知する。また、無線基地局は、既存システムのＰＵＣＣＨフォーマットを適用する際に用いるＰＵＣＣＨリソースに関する情報及び／又は当該ＰＵＣＣＨを送信するＣＣに関する情報をユーザ端末に通知することができる。既存システムのＰＵＣＣＨフォーマットは、ＰＵＣＣＨフォーマット３及び／又はＰＵＣＣＨフォーマット１ｂに基づくチャネルセレクションを指す。
【００９８】
ユーザ端末は、各サブフレームにおいて、アクティブ状態のＣＣに基づいて所定のフォーマットを適用して上り制御信号（例えば、ＨＡＲＱ−ＡＣＫ）のフィードバックを制御する。
【００９９】
例えば、ＳＣｅｌｌが全て非アクティブ状態（De-active）である場合、ユーザ端末はＰＵＣＣＨフォーマット１ｂを用いて適用して上り制御信号を送信することができる。
【０１００】
ＰＵＣＣＨフォーマット１ｂに基づくチャネルセレクションが設定されると共に、ＰＣｅｌｌと１個のＳＣｅｌｌ（合計２ＣＣ）がアクティブ状態である場合、ユーザ端末は当該ＰＵＣＣＨフォーマット１ｂに基づくチャネルセレクションを適用することができる。
【０１０１】
ＰＵＣＣＨフォーマット３が設定されると共に、ＰＣｅｌｌと１〜４個のＳＣｅｌｌ（合計５ＣＣまで）がアクティブ状態である場合、ユーザ端末は当該ＰＵＣＣＨフォーマット３を適用することができる。
【０１０２】
アクティブ状態のＣＣ数が６以上である場合、ユーザ端末はＲｅｌ．１３以降で規定されるＵＣＩ送信法（例えば、新規の大容量ＰＵＣＣＨフォーマット）を適用して上り制御信号を送信することができる。
【０１０３】
（変形例）
また、本実施の形態では、上述した第２の態様と第３の態様を適宜組み合わせて適用することも可能である。この場合、ユーザ端末は、アクティブ状態のＣＣと、ＤＬ送信の割当てがあるＣＣとに基づいて、適用するＵＣＩ送信法（ＰＵＣＣＨフォーマット）を決定する。
【０１０４】
例えば、アクティブ状態のＣＣ数が５個以下の場合、Ｒｅｌ．１３以降で規定されるＵＣＩ送信法（例えば、新規フォーマット）は適用せず、Ｒｅｌ．１２以前のＵＣＩ送信法（例えば、既存ＰＵＣＣＨフォーマット）を適用することができる。また、アクティブ状態のＣＣ数が６個以上の場合、ＤＬ割当てがあるＣＣ数が５個以下であれば、Ｒｅｌ．１２以前のＵＣＩ送信法（例えば、既存ＰＵＣＣＨフォーマット）を適用することができる。また、アクティブ状態のＣＣ数が６以上であり、ＤＬ割当てがあるＣＣ数も６以上である場合に、Ｒｅｌ．１３以降で規定されるＵＣＩ送信法（例えば、新規フォーマット）を適用することができる。なお、ユーザ端末がフォーマットの切り替えの判断に用いるＣＣ数はこれに限られない。
【０１０５】
このように、アクティブ状態のＣＣと、ＤＬ送信の割当てがあるＣＣとに基づいて、フォーマットを選択することにより、通信状況に適したフォーマットを用いて上り送信を行うことができる。これにより、ＵＬオーバーヘッドを効果的に削減することができる。
【０１０６】
（無線通信システムの構成）
以下、本発明の一実施形態に係る無線通信システムの構成について説明する。この無線通信システムでは、本発明の実施形態に係る無線通信方法が適用される。なお、上記の各実施形態に係る無線通信方法は、それぞれ単独で適用されてもよいし、組み合わせて適用してもよい。
【０１０７】
図９は、本発明の一実施形態に係る無線通信システムの概略構成の一例を示す図である。なお、図９に示す無線通信システムは、例えば、ＬＴＥシステム、ＳＵＰＥＲ  ３Ｇ、ＬＴＥ−Ａシステムなどが包含されるシステムである。この無線通信システムでは、ＬＴＥシステムのシステム帯域幅を１単位とする複数の基本周波数ブロック（コンポーネントキャリア）を一体としたキャリアアグリゲーション（ＣＡ）及び／又はデュアルコネクティビティ（ＤＣ）を適用することができる。なお、この無線通信システムは、ＩＭＴ−Ａｄｖａｎｃｅｄと呼ばれても良いし、４Ｇ、５Ｇ、ＦＲＡ（Future  Radio  Access）などと呼ばれても良い。
【０１０８】
図９に示す無線通信システム１は、マクロセルＣ１を形成する無線基地局１１と、マクロセルＣ１内に配置され、マクロセルＣ１よりも狭いスモールセルＣ２を形成する無線基地局１２ａ−１２ｃとを備えている。また、マクロセルＣ１及び各スモールセルＣ２には、ユーザ端末２０が配置されている。
【０１０９】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、少なくとも６個以上のＣＣ（セル）を用いてＣＡ又はＤＣを適用することができる。
【０１１０】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。無線基地局１１と無線基地局１２との間（又は、２つの無線基地局１２間）は、有線接続（光ファイバ、Ｘ２インターフェースなど）又は無線接続する構成とすることができる。
【０１１１】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１１２】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでよい。
【０１１３】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られない。
【０１１４】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、所定のＳＩＢ（System  Information  Block）が伝送される。また、ＰＢＣＨにより、ＭＩＢ（Master  Information  Block）などが伝送される。
【０１１５】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認信号（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩなどを伝送するために用いられてもよい。
【０１１６】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）、送達確認信号（HQRQ-ACK）などが伝送される。ＰＲＡＣＨにより、セルとの接続確立のためのランダムアクセスプリアンブル（ＲＡプリアンブル）が伝送される。
【０１１７】
＜無線基地局＞
図１０は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信部１０３は、送信部及び受信部で構成される。
【０１１８】
下りリンクにより無線基地局１０からユーザ端末２０に送信されるユーザデータは、上位局装置３０から伝送路インターフェース１０６を介してベースバンド信号処理部１０４に入力される。
【０１１９】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御等のＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理等の送信処理が行われて各送受信部１０３に転送される。また、下り制御信号に関しても、チャネル符号化や逆高速フーリエ変換などの送信処理が行われて、各送受信部１０３に転送される。
【０１２０】
各送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１２１】
例えば、送受信部１０３は、ＣＡを行うＣＣに関する情報（周波数及び／又はＣＣ数等の情報）を送信することができる。また、送受信部１０３は、Ｒｅｌ．１３以降で適用するＵＣＩ送信法（例えば、新規フォーマット）の情報、既存システムのＰＵＣＣＨフォーマットを適用する際に用いるＰＵＣＣＨリソースに関する情報及び／又は当該ＰＵＣＣＨを送信するＣＣに関する情報を送信することができる。なお、送受信部１０３は、本発明に係る技術分野での共通認識に基づいて説明されるトランスミッター／レシーバー、送受信回路又は送受信装置とすることができる。
【０１２２】
一方、上り信号については、各送受信アンテナ１０１で受信された無線周波数信号がそれぞれアンプ部１０２で増幅される。各送受信部１０３はアンプ部１０２で増幅された上り信号を受信する。送受信部１０３は、受信信号をベースバンド信号に周波数変換して、ベースバンド信号処理部１０４に出力する。
【０１２３】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【０１２４】
伝送路インターフェース１０６は、所定のインターフェースを介して、上位局装置３０と信号を送受信する。また、伝送路インターフェース１０６は、基地局間インターフェース（例えば、光ファイバ、Ｘ２インターフェース）を介して隣接無線基地局１０と信号を送受信（バックホールシグナリング）してもよい。
【０１２５】
図１１は、本実施形態に係る無線基地局の機能構成の一例を示す図である。なお、図１１では、本実施形態における特徴部分の機能ブロックを主に示しており、無線基地局１０は、無線通信に必要な他の機能ブロックも有しているものとする。図１１に示すように、ベースバンド信号処理部１０４は、制御部（スケジューラ）３０１と、送信信号生成部（生成部）３０２と、マッピング部３０３と、受信信号処理部３０４と、を備えている。
【０１２６】
制御部（スケジューラ）３０１は、ＰＤＳＣＨで送信される下りデータ信号、ＰＤＣＣＨ及び／又はＥＰＤＣＣＨで伝送される下り制御信号のスケジューリング（例えば、リソース割り当て）を制御する。また、システム情報、同期信号、ページング情報、ＣＲＳ（Cell-specific  Reference  Signal）、ＣＳＩ−ＲＳ（Channel  State  Information  Reference  Signal）等のスケジューリングの制御も行う。また、上り参照信号、ＰＵＳＣＨで送信される上りデータ信号、ＰＵＣＣＨ及び／又はＰＵＳＣＨで送信される上り制御信号、ＰＲＡＣＨで送信されるランダムアクセスプリアンブル等のスケジューリングを制御する。
【０１２７】
制御部３０１は、ユーザ端末からフィードバックされる送達確認信号（ＨＡＲＱ−ＡＣＫ）に基づいて、下りデータの再送を制御する。また、制御部３０１は、ユーザ端末がアクティブ状態のＣＣに基づいて上り制御情報に適用するフォーマットを決定する場合、特定のＰＵＣＣＨフォーマットに対応する無線リソースのみ検出するように制御することができる（上記第２の態様）。
【０１２８】
制御部３０１は、本発明に係る技術分野での共通認識に基づいて説明されるコントローラ、制御回路又は制御装置とすることができる。
【０１２９】
送信信号生成部３０２は、制御部３０１からの指示に基づいて、ＤＬ信号を生成して、マッピング部３０３に出力する。例えば、送信信号生成部３０２は、制御部３０１からの指示に基づいて、下り信号の割り当て情報を通知するＤＬアサインメント及び上り信号の割り当て情報を通知するＵＬグラントを生成する。また、下りデータ信号には、各ユーザ端末２０からのチャネル状態情報（ＣＳＩ）等に基づいて決定された符号化率、変調方式などに従って符号化処理、変調処理が行われる。
【０１３０】
送信信号生成部３０２は、本発明に係る技術分野での共通認識に基づいて説明される信号生成器、信号生成回路又は信号生成装置とすることができる。
【０１３１】
マッピング部３０３は、制御部３０１からの指示に基づいて、送信信号生成部３０２で生成された下り信号を、所定の無線リソースにマッピングして、送受信部１０３に出力する。なお、マッピング部３０３は、本発明に係る技術分野での共通認識に基づいて説明されるマッパー、マッピング回路又はマッピング装置とすることができる。
【０１３２】
受信信号処理部３０４は、ユーザ端末から送信されるＵＬ信号（例えば、送達確認信号（ＨＡＲＱ−ＡＣＫ）、ＰＵＳＣＨで送信されたデータ信号、ＰＲＡＣＨで送信されたランダムアクセスプリアンブル等）に対して、受信処理（例えば、デマッピング、復調、復号など）を行う。処理結果は、制御部３０１に出力される。
【０１３３】
受信信号処理部３０４は、ユーザ端末がアクティブ状態のＣＣに基づいて上り制御情報に適用するフォーマットを決定する場合、制御部３０１の指示に応じて、特定のＰＵＣＣＨフォーマットに対応する無線リソースのみ検出動作を行うことができる（上記第２の態様）。
【０１３４】
また、受信信号処理部３０４は、受信した信号を用いて受信電力（例えば、ＲＳＲＰ（Reference  Signal  Received  Power））、受信品質（ＲＳＲＱ（Reference  Signal  Received  Quality））やチャネル状態などについて測定してもよい。測定結果は、制御部３０１に出力されてもよい。
【０１３５】
受信信号処理部３０４は、本発明に係る技術分野での共通認識に基づいて説明される信号処理器、信号処理回路又は信号処理装置、並びに、測定器、測定回路又は測定装置から構成することができる。
【０１３６】
＜ユーザ端末＞
図１２は、本実施形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。なお、送受信部２０３は、送信部及び受信部から構成されてもよい。
【０１３７】
複数の送受信アンテナ２０１で受信された無線周波数信号は、それぞれアンプ部２０２で増幅される。各送受信部２０３はアンプ部２０２で増幅された下り信号を受信する。送受信部２０３は、受信信号をベースバンド信号に周波数変換して、ベースバンド信号処理部２０４に出力する。
【０１３８】
送受信部２０３は、ＤＬ信号（例えば、ＰＤＳＣＨ）に対する送達確認信号を含むＵＬ制御信号（ＰＵＣＣＨ）を送信する。また、送受信部２０３は、既存ＰＵＣＣＨフォーマットを適用して送信するＵＬ制御信号の割当てリソースに関する情報、及び／又はＵＬ制御信号を送信するＣＣに関する情報を受信することができる。なお、送受信部２０３は、本発明に係る技術分野での共通認識に基づいて説明されるトランスミッター／レシーバー、送受信回路又は送受信装置とすることができる。
【０１３９】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１４０】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて各送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１４１】
図１３は、本実施形態に係るユーザ端末の機能構成の一例を示す図である。なお、図１３においては、本実施形態における特徴部分の機能ブロックを主に示しており、ユーザ端末２０は、無線通信に必要な他の機能ブロックも有しているものとする。図１３に示すように、ユーザ端末２０が有するベースバンド信号処理部２０４は、制御部４０１と、送信信号生成部４０２と、マッピング部４０３と、受信信号処理部４０４と、判定部４０５と、を備えている。
【０１４２】
制御部４０１は、無線基地局１０から送信された下り制御信号（ＰＤＣＣＨ／ＥＰＤＣＣＨで送信された信号）及び下りデータ信号（ＰＤＳＣＨで送信された信号）を、受信信号処理部４０４から取得する。制御部４０１は、下り制御信号や、下りデータ信号に対する再送制御の要否を判定した結果などに基づいて、上り制御信号（例えば、送達確認信号（ＨＡＲＱ−ＡＣＫ）など）や上りデータ信号の生成を制御する。具体的には、制御部４０１は、送信信号生成部４０２、マッピング部４０３及び受信信号処理部４０４の制御を行うことができる。
【０１４３】
例えば、制御部４０１は、ＵＬ制御信号（例えば、ＨＡＲＱ−ＡＣＫ）の送信に適用するフォーマットを制御する。また、制御部４０１は、ＣＣの設定数が５個以下となる既存システムのＰＵＣＣＨフォーマットと比較して容量が大きい新規フォーマットをＵＬ制御信号に適用することができる。
【０１４４】
また、制御部４０１は、ＤＬ信号が割当てられるＣＣ数に基づいてＵＬ制御信号に適用するフォーマットを変更することができる。例えば、制御部４０１は、ＤＬ信号が割当てられる所定ＣＣ数が５個以下である場合、既存システムのＰＵＣＣＨフォーマット３をＵＬ制御信号に適用することができる。また、制御部４０１は、ＤＬ信号が割当てられる所定ＣＣ数が２個以下である場合、既存システムのＰＵＣＣＨフォーマット１ｂに基づくチャネルセレクションをＵＬ制御信号に適用することができる。また、制御部４０１は、Ｌ信号が割当てられるＣＣがＰＣｅｌｌだけである場合、既存システムのＰＵＣＣＨフォーマット１ｂをＵＬ制御信号に適用することができる。
【０１４５】
また、制御部４０１は、アクティブ状態のＣＣ数に基づいて、ＰＵＣＣＨフォーマット１ｂに基づくチャネルセレクション、ＰＵＣＣＨフォーマット３又は新規フォーマットを切り替えてＵＬ制御信号に適用することができる。
【０１４６】
制御部４０１は、本発明に係る技術分野での共通認識に基づいて説明されるコントローラ、制御回路又は制御装置とすることができる。
【０１４７】
送信信号生成部４０２は、制御部４０１からの指示に基づいて、ＵＬ信号を生成して、マッピング部４０３に出力する。例えば、送信信号生成部４０２は、制御部４０１からの指示に基づいて、送達確認信号（ＨＡＲＱ−ＡＣＫ）やチャネル状態情報（ＣＳＩ）等の上り制御信号を生成する。
【０１４８】
また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。送信信号生成部４０２は、本発明に係る技術分野での共通認識に基づいて説明される信号生成器、信号生成回路又は信号生成装置とすることができる。
【０１４９】
マッピング部４０３は、制御部４０１からの指示に基づいて、送信信号生成部４０２で生成された上り信号（上り制御信号及び／又は上りデータ）を無線リソースにマッピングして、送受信部２０３へ出力する。マッピング部４０３は、本発明に係る技術分野での共通認識に基づいて説明されるマッパー、マッピング回路又はマッピング装置とすることができる。
【０１５０】
受信信号処理部４０４は、ＤＬ信号（例えば、無線基地局から送信された下り制御信号、ＰＤＳＣＨで送信された下りデータ信号等）に対して、受信処理（例えば、デマッピング、復調、復号など）を行う。受信信号処理部４０４は、無線基地局１０から受信した情報を、制御部４０１、判定部４０５に出力する。受信信号処理部４０４は、例えば、報知情報、システム情報、ＲＲＣシグナリング、ＤＣＩなどを、制御部４０１に出力する。
【０１５１】
受信信号処理部４０４は、本発明に係る技術分野での共通認識に基づいて説明される信号処理器、信号処理回路又は信号処理装置、並びに、測定器、測定回路又は測定装置から構成することができる。また、受信信号処理部４０４は、本発明に係る受信部を構成することができる。
【０１５２】
判定部４０５は、受信信号処理部４０４の復号結果に基づいて、再送制御判定（ＡＣＫ／ＮＡＣＫ）を行うと共に、判定結果を制御部４０１に出力する。複数ＣＣ（例えば、６個以上のＣＣ）から下り信号（ＰＤＳＣＨ）が送信される場合には、各ＣＣについてそれぞれ再送制御判定（ＡＣＫ／ＮＡＣＫ）を行い制御部４０１に出力する。判定部４０５は、本発明に係る技術分野での共通認識に基づいて説明される判定回路又は判定装置から構成することができる。
【０１５３】
なお、上記実施形態の説明に用いたブロック図は、機能単位のブロックを示している。これらの機能ブロック（構成部）は、ハードウェア及びソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１５４】
例えば、無線基地局１０やユーザ端末２０の各機能の一部又は全ては、ＡＳＩＣ（Application  Specific  Integrated  Circuit）、ＰＬＤ（Programmable  Logic  Device）、ＦＰＧＡ（Field  Programmable  Gate  Array）等のハードウェアを用いて実現されても良い。また、無線基地局１０やユーザ端末２０は、プロセッサ（ＣＰＵ）と、ネットワーク接続用の通信インターフェースと、メモリと、プログラムを保持したコンピュータ読み取り可能な記憶媒体と、を含むコンピュータ装置によって実現されてもよい。
【０１５５】
ここで、プロセッサやメモリなどは情報を通信するためのバスで接続される。また、コンピュータ読み取り可能な記録媒体は、例えば、フレキシブルディスク、光磁気ディスク、ＲＯＭ、ＥＰＲＯＭ、ＣＤ−ＲＯＭ、ＲＡＭ、ハードディスクなどの記憶媒体である。また、プログラムは、電気通信回線を介してネットワークから送信されても良い。また、無線基地局１０やユーザ端末２０は、入力キーなどの入力装置や、ディスプレイなどの出力装置を含んでいてもよい。
【０１５６】
無線基地局１０及びユーザ端末２０の機能構成は、上述のハードウェアによって実現されてもよいし、プロセッサによって実行されるソフトウェアモジュールによって実現されてもよいし、両者の組み合わせによって実現されてもよい。プロセッサは、オペレーティングシステムを動作させてユーザ端末の全体を制御する。また、プロセッサは、記憶媒体からプログラム、ソフトウェアモジュールやデータをメモリに読み出し、これらに従って各種の処理を実行する。ここで、当該プログラムは、上記の各実施形態で説明した各動作を、コンピュータに実行させるプログラムであれば良い。例えば、ユーザ端末２０の制御部４０１は、メモリに格納され、プロセッサで動作する制御プログラムによって実現されてもよく、他の機能ブロックについても同様に実現されてもよい。
【０１５７】
以上、本発明について詳細に説明したが、当業者にとっては、本発明が本明細書中に説明した実施形態に限定されるものではないということは明らかである。例えば、上述の各実施形態は単独で用いてもよいし、組み合わせて用いてもよい。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１５８】
本出願は、２０１５年１月２９日出願の特願２０１５−０１４９０９に基づく。この内容は、全てここに含めておく。
【図１】
2016121916.tif 000003
【図２】
2016121916.tif 000004
【図３】
2016121916.tif 000005
【図４】
2016121916.tif 000006
【図５】
2016121916.tif 000007
【図６】
2016121916.tif 000008
【図７】
2016121916.tif 000009
【図８】
2016121916.tif 000010
【図９】
2016121916.tif 000011
【図１０】
2016121916.tif 000012
【図１１】
2016121916.tif 000013
【図１２】
2016121916.tif 000014
【図１３】
2016121916.tif 000015
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
ＤＬ信号を受信する受信部と、
前記ＤＬ信号に対する送達確認信号を含むＵＬ制御情報を送信する送信部と、
前記ＵＬ制御情報の送信に適用するフォーマットを制御する制御部と、を有し、
前記制御部は、既存システム（Ｒｅｌ．１０−１２）のＰＵＣＣＨフォーマットと比較してビット数が大きい新規フォーマットをサポートし、ＤＬ信号が割当てられるセル数に基づいて前記ＵＬ制御情報の送信に適用するフォーマットを変更することを特徴とするユーザ端末。
【請求項２】
前記制御部は、前記新規フォーマットが上位レイヤシグナリングで設定される場合、下り制御チャネルの検出に基づいて前記ＤＬ信号が割当てられるセル数を判断して前記ＵＬ制御情報の送信に適用する所定フォーマットを選択することを特徴とする請求項１に記載のユーザ端末。
【請求項３】
前記制御部は、前記新規フォーマットとして、ＰＵＣＣＨフォーマット３より直交符号長が小さいフォーマットを適用することを特徴とする請求項１又は請求項２に記載のユーザ端末。
【請求項４】
前記制御部は、前記新規フォーマットとして、複数ＰＲＢを利用するフォーマットを適用することを特徴とする請求項１から請求項３のいずれかに記載のユーザ端末。
【請求項５】
前記制御部は、前記ＤＬ信号が割当てられるセルがプライマリセルだけである場合、既存システム（Ｒｅｌ．１０−１２）のＰＵＣＣＨフォーマット１ｂをＵＬ制御情報に適用することを特徴とする請求項１から請求項４のいずれかに記載のユーザ端末。
【請求項６】
前記ユーザ端末は、６個以上のセルを利用して通信可能であることを特徴とする請求項１から請求項５のいずれかに記載のユーザ端末。
【請求項７】
ＤＬ信号を送信する送信部と、
前記ＤＬ信号に対する送達確認信号を含むＵＬ制御情報を受信する受信部と、
前記ユーザ端末がＵＬ制御情報に適用するフォーマットの設定を制御する制御部と、を有し、
前記制御部は、既存システム（Ｒｅｌ．１０−１２）のＰＵＣＣＨフォーマットと比較してビット数が大きい新規フォーマットを前記ユーザ端末に設定し、前記受信部は、ＤＬ信号が割当てられるセル数に基づいて所定のフォーマットが適用されたＵＬ制御情報を受信することを特徴とする無線基地局。
【請求項８】
ユーザ端末の無線通信方法であって、
ＤＬ信号を受信する工程と、
前記ＤＬ信号に対する送達確認信号を含むＵＬ制御情報を生成する工程と、
前記ＵＬ制御情報の送信に適用するフォーマットを制御する工程と、を有し、
既存システム（Ｒｅｌ．１０−１２）のＰＵＣＣＨフォーマットと比較してビット数が大きい新規フォーマットをサポートし、ＤＬ信号が割当てられるセル数に基づいて前記ＵＬ制御情報の送信に適用するフォーマットを変更することを特徴とする無線通信方法。
【手続補正２】
【補正対象書類名】明細書
【補正対象項目名】００１０
【補正方法】変更
【補正の内容】
【００１０】
本発明のユーザ端末の一態様は、ＤＬ信号を受信する受信部と、前記ＤＬ信号に対する送達確認信号を含むＵＬ制御情報を送信する送信部と、前記ＵＬ制御情報の送信に適用するフォーマットを制御する制御部と、を有し、前記制御部は、既存システム（Ｒｅｌ．１０−１２）のＰＵＣＣＨフォーマットと比較してビット数が大きい新規フォーマットをサポートし、ＤＬ信号が割当てられるセル数に基づいて前記ＵＬ制御情報の送信に適用するフォーマットを変更することを特徴とする。
【国際調査報告】
2016121916.tif 000016
2016121916.tif 000017
2016121916.tif 000018
2016121916.tif 000019